(57)【特許請求の範囲】
【請求項１】
外縁にフランジ部を有してなり所要の間隔を空けて配置された複数の脚と、これら脚間に設けられた座とを具備してなる椅子に取り付けられるカップホルダであって、
カップを保持するためのホルダ本体と、このホルダ本体を支持するホルダ支持部材と、このホルダ支持部材を脚に加工を施すことなく前記フランジ部を利用して当該脚の外縁部分に取り付ける取付機構とを具備してなり、
前記取付機構が前記フランジ部を利用して前記脚の下縁又は前向き縁に取り付けるものであり、前記ホルダ本体が前記座の下側であり且つ前記脚から離間して位置していることを特徴とするカップホルダ。
【請求項２】
前記脚が、起立面から片持ち的に突出させたもので、その外縁のうち少なくとも下縁に前記フランジ部が形成されており、前記取付機構が、前記脚の外縁近傍においてフランジ部よりも内側を挟持する対をなす側面挟持部と、これら側面挟持部によりホルダ支持部材が脚に取り付けられた状態で前記脚の外縁に当接してホルダ支持部材の前後方向の回動を規制する外面当接部とを具備してなるものである請求項１記載のカップホルダ。
【請求項３】
前記側面挟持部及び外面当接部が、それぞれ脚に密着する弾性表面層を備えたものである請求項２記載のカップホルダ。
【請求項４】
前記取付機構が、ホルダ支持部材に設けられた一方の側面挟持部と、前記ホルダ支持部材に対面配置された対面部材に設けられた他方の側面挟持部と、前記脚の外側に位置させて前記ホルダ支持部材と前記対面部材との間に配置された外面当接部とを備え、この外面当接部に前記ホルダ支持部材及び対面部材を緊締結合することにより、前記両側面挟持部を脚の側面に圧接させるようにしたものである請求項２または３記載のカップホルダ。
【請求項５】
前記ホルダ支持部材の両側に前記ホルダ本体がそれぞれ設けられており、前記ホルダ支持部材が、各ホルダ本体間を仕切る仕切板としての役割をも担い得る形状をなしたものである請求項１、２、３または４記載のカップホルダ。
【発明の詳細な説明】
【技術分野】
【０００１】
本発明は、スタジアム等に設置される椅子に好適に使用することができるカップホルダに関する。
【背景技術】
【０００２】
従来、スタジアム等に設置される椅子として、所要の間隔を空けて配置された複数の脚と、これら脚間に設けられた座及び背凭れとを具備してなるものが知られている（例えば、特許文献１を参照）。
【０００３】
ところで、これらの椅子においては、各着座者がそれぞれ利用することができるカップホルダを増設したいという要望がある。ところが、既に設置されている椅子にカップホルダを後発的に取り付けるのには制約が多い。例えば、背凭れの背面に後列の着座者が利用するためのカップホルダを取り付けると、前後の椅子間に形成されている通路の幅が狭くなるという不具合が生じる。また、脚等にボルト孔を穿設してカップホルダを取り付けると、取付作業に多大な工数を要するという問題が発生する。
【先行技術文献】
【特許文献】
【０００４】
【特許文献１】特開平９−１８７３３８号公報
【発明の概要】
【発明が解決しようとする課題】
【０００５】
本発明は、取付箇所の自由度を高めることができるとともに、脚に孔あけ加工等を施すことなく容易に取り付けることのできるカップホルダを提供することを目的としている。
【課題を解決するための手段】
【０００６】
本発明は、以上のような課題を解決するために、次のような構成を採用したものである。すなわち、本発明に係るカップホルダは、外縁にフランジ部を有してなり所要の間隔を空けて配置された複数の脚と、これら脚間に設けられた座とを具備してなる椅子に取り付けられるものであって、カップを保持するためのホルダ本体と、このホルダ本体を支持するホルダ支持部材と、この支持部材を脚に加工を施すことなく前記フランジ部を利用して当該脚の外縁部分に取り付ける取付機構とを具備してなり、前記取付機構が前記フランジ部を利用して前記脚の下縁又は前向き縁に取り付けるものであり、前記ホルダ本体が前記座の下側であり且つ前記脚から離間して位置していることを特徴とする。
【０００７】
このようなものであれば、フランジ部を利用して取り付けるようにしているので、取付箇所の自由度を高めることができるとともに、脚に孔あけ加工等を施すことなく容易に取り付けることができる。
【０００８】
前記脚が、起立面から片持ち的に突出させたもので、その外縁のうち少なくとも下縁に前記フランジ部が形成されている場合の好適な取付機構としては、前記脚の外縁近傍においてフランジ部よりも内側を挟持する対をなす側面挟持部と、これら側面挟持部によりホルダ支持部材が脚に取り付けられた状態で前記脚の外縁に当接してホルダ支持部材の前後方向の回動を規制する外面当接部とを具備してなるものが挙げられる。
【０００９】
前記側面挟持部及び外面当接部の好適な一例としては、それぞれ脚に密着する弾性表面層を備えたものが挙げられる。
【００１０】
前記取付機構は、ホルダ支持部材に設けられた一方の側面挟持部と、前記ホルダ支持部材に対面配置された対面部材に設けられた他方の側面挟持部と、前記脚の外側に位置させて前記ホルダ支持部材と前記対面部材との間に配置された外面当接部とを備え、この外面当接部に前記ホルダ支持部材及び対面部材を緊締結合することにより、前記両側面挟持部を脚の側面に圧接させるようにしたものであることが好ましい。
【００１１】
前記ホルダ支持部材の両側に前記ホルダ本体がそれぞれ設けられているものにおいては、前記ホルダ支持部材が、各ホルダ本体間を仕切る仕切板としての役割をも担い得る形状をなしたものが好ましい。
【発明の効果】
【００１２】
本発明は、以上のような構成であるから、取付箇所の自由度を高めることができるとともに、脚に孔あけ加工等を施すことなく容易に取り付けることのできるカップホルダを提供できる。
【図面の簡単な説明】
【００１３】
【図１】本発明の一実施形態にかかる椅子及びカップホルダの正面図。
【図２】同実施形態の椅子及びカップホルダの平面図。
【図３】同実施形態の椅子及びカップホルダを一部省略して示す右側面図。
【図４】同実施形態のカップホルダの取り付け状態を拡大して示す斜視図。
【図５】同実施形態のカップホルダの取り付け前の状態を示す分解斜視図。
【図６】図３におけるＸ−Ｘ線断面図。
【図７】図６におけるＹ−Ｙ線断面図。
【図８】本発明の他の実施形態の椅子及びカップホルダを一部省略して示す右側面図。
【図９】図８におけるＺ−Ｚ線断面図。
【発明を実施するための形態】
【００１４】
以下、本発明の一実施形態を図１ないし図７を参照して説明する。
【００１５】
この実施形態は、屋内または屋外にあるスタジアム等に設置される椅子Ｃに、本発明にかかるカップホルダＨ１、Ｈ２を取り付けた場合のものである。
【００１６】
椅子Ｃは、図１ないし図３に示すように、所要の間隔を空けて配置された複数の脚Ｃ１と、これら脚Ｃ１間に設けられた座Ｃ２と、前記脚Ｃ１間に設けられた背凭れＣ４とを具備してなる。なお、図３においては、右端側（紙面手前側）の脚、座及び背凭れ等を省略している。
【００１７】
脚Ｃ１は、図１ないし図６に示すように、起立面Ｓ１から片持ち的に突出させたもので、その外縁Ｃ５のうち少なくとも下縁Ｃ５１に前記フランジ部Ｃ６１が形成されている。すなわち、この脚Ｃ１は、下端部を段床Ｓの起立面Ｓ１にボルトＢ１を用いて取着したもので、その上端部を肘掛部Ｃ７としている。脚Ｃ１は、アルミダイキャスト等により作られた板状のもので、その外縁Ｃ５、すなわち、下縁Ｃ５１と、この下縁Ｃ５１に連続する前向き縁Ｃ５２と、上縁Ｃ５３と、この上縁Ｃ５３に連続する後向き縁Ｃ５４とに、それぞれ、その板厚よりも幅の広いフランジ部Ｃ６１、Ｃ６２、Ｃ６３、Ｃ６４を有している。すなわち、図６に示すように、各フランジ部Ｃ６１、Ｃ６２、Ｃ６３、Ｃ６４の横断面は、略Ｔ字状をなしている。このフランジ部Ｃ６１、Ｃ６２、Ｃ６３、Ｃ６４は、部材からはみ出すように出っ張った部分のことであり、本実施形態においては、フランジ部Ｃ６１、Ｃ６２、Ｃ６３、Ｃ６４の厚さは一様でなく、その内側に外面に向けてテーパ（傾斜）が付けられている。
【００１８】
座Ｃ２は、図１ないし図４に示すように、例えば、ブロー成形等により作られた合成樹脂製の座本体Ｃ８と、この座本体Ｃ８の基端部両側にビスＢ２を用いて取着した断面Ｌ字形をなす金属製の補強板Ｃ９とを具備してなる。これら両補強板Ｃ９をライジング機構Ｃ３を介して両側の脚Ｃ１にライジング動作可能に支持させている。ライジング機構Ｃ３は、座Ｃ２を倒伏位置（ａ）、起立位置（ｂ）、及び退避位置（ｃ）の間で起伏動作させるためのものであり、その構造は通常のものであるため、説明を省略する。
【００１９】
背凭れＣ４は、図１ないし図３に示すように、例えば、ブロー成形等により作られた合成樹脂製のもので、図示しないブラケットを介して両側の脚Ｃ１に支持されている。
【００２０】
このような椅子Ｃの所要の脚Ｃ１に、カップホルダＨ１、Ｈ２を取り付けている。
【００２１】
カップホルダＨ２は、図１、図２、図４及び図５に示すように、カップＰを保持するためのホルダ本体１と、このホルダ本体１を支持するホルダ支持部材２と、このホルダ支持部材２を脚Ｃ１に加工を施すことなく前記フランジ部Ｃ６１を利用して当該脚Ｃ１の外縁Ｃ５部分に取り付ける取付機構３とを具備してなる。
【００２２】
ホルダ本体１は、図１ないし図５に示すように、保持すべきカップＰよりも浅い椀状のもので、下端底部に開口部を有している。このホルダ本体１は、合成樹脂により作られており、ホルダ支持部材２の側面２１にボルト８１を用いて若干前傾姿勢で止着されている。なお、このホルダ本体１には、カップＰ以外のもの、例えば缶またはペットボトル入りの飲食物等を保持させてもよいのはもちろんである。
【００２３】
ホルダ支持部材２は、図１ないし図７に示すように、板状のもので、上端部２２を取付機構３を介して脚Ｃ１に取り付けるとともに、下端部２３の両側に前記ホルダ本体１がそれぞれ設けられている。なお、このホルダ支持部材２は、各ホルダ本体１間を仕切る仕切板としての役割をも担い得る形状をなしている。具体的には、各ホルダ本体１に保持されたカップＰ間に介入し得る出っ張り部２４を有している。
【００２４】
取付機構３は、図１及び図３ないし図７に示すように、前記脚Ｃ１の外縁Ｃ５近傍においてフランジ部Ｃ６１よりも内側を挟持する対をなす側面挟持部５、６と、これら側面挟持部５、６によりホルダ支持部材２が脚Ｃ１に取り付けられた状態で前記脚Ｃ１の外縁Ｃ５に当接してホルダ支持部材２の前後方向の回動を規制する外面当接部７とを具備してなる。すなわち、この取付機構３は、ホルダ支持部材２に設けられた一方の側面挟持部５と、前記ホルダ支持部材２に対面配置された対面部材４に設けられた他方の側面挟持部６と、前記脚Ｃ１の外側に位置させて前記ホルダ支持部材２と前記対面部材４との間に配置された外面当接部７とを備えたものである。そして、この取付機構３は、この外面当接部７に前記ホルダ支持部材２及び対面部材４を緊締結合することにより、前記両側面挟持部５、６を脚Ｃ１の側面に圧接させるようにしている。具体的には、外面当接部７は、フランジ部Ｃ６１の幅寸法よりも若干大きな幅を有したブロック状のもので、両端面にねじ孔７１を開口させている。そして、ホルダ支持部材２に設けたボルト挿通孔２５を通過させて前記ねじ孔７１の一端側に螺合させた第一のボルト８２と、前記対面部材４に設けたボルト挿通孔４１を通過させて前記ねじ孔７１の他端側に螺合させた第二のボルト８３とによって、この外面当接部７に前記ホルダ支持部材２及び対面部材４を緊締結合するようになっている。そして、この緊締結合により、前記両側面挟持部５、６がホルダ支持部材２の両側面２１に圧接されるようにしている。ここで、前記側面挟持部５、６及び外面当接部７は、それぞれ脚Ｃ１に密着するゴムシート等を添着することにより形成された弾性表面層５１、６１、７２を備えたものであり、前記緊締結合が完了した場合に、側面挟持部５、６の弾性表面層５１、６１が弾性変形を伴ってホルダ支持部材２内の側面２１に圧接される。また、緊締結合時に、外面当接部７の弾性表面層７２が脚Ｃ１の外面、すなわち脚Ｃ１の外縁Ｃ５のフランジ部Ｃ６１に当接されることによって、カップホルダＨ２をがたつきなく確実に脚Ｃ１に取り付けることができる。
【００２５】
カップホルダＨ１は、図１ないし図３に示すように、ホルダ支持部材２の一側面２１側のみにホルダ本体１を取り付けたものであり、前記カップホルダＨ２と同一または対応する部分には、同一の符号を付して説明を省略する。
【００２６】
このように、本実施形態のカップホルダＨ１、Ｈ２は、外縁Ｃ５にフランジ部Ｃ６１、Ｃ６２、Ｃ６３、Ｃ６４を有してなり所要の間隔を空けて配置された４つの脚Ｃ１と、これら脚Ｃ１間に設けられた３つの座Ｃ２とを具備してなる椅子Ｃに取り付けられるものであって、カップＰを保持するためのホルダ本体１と、このホルダ本体１を支持するホルダ支持部材２と、このホルダ支持部材を脚Ｃ１に加工を施すことなく前記フランジ部Ｃ６１を利用して当該脚Ｃ１の外縁Ｃ５部分に取り付ける取付機構３とを具備してなるので、前後の椅子Ｃ間の通路を不当に狭くすることなく、取付箇所の自由度を高めることができるとともに、脚Ｃ１に手間のかかる孔あけ加工等を施すことなく容易に取り付けることができる。そのため、既存のスタジアム等の椅子Ｃにも容易に取り付けることができる。
【００２７】
特に、金属製の板状の脚Ｃ１に設けられたフランジ部Ｃ６１は、本来曲げ剛性を向上させ強度を保つためのものであるが、このフランジ部Ｃ６１を有効に利用して、カップホルダＨ１、Ｈ２を離脱不能に取り付けることができる。そのため、カップホルダＨ１、Ｈ２を最低限の部品点数で、しっかりと取り付けることができる。また、脚全体を掴み持つようにカップホルダを取り付けるものと比べて、取付機構３を小型化することができる。さらに、脚Ｃ１にカップホルダＨ１、Ｈ２取り付けのための穿孔作業等を行うことがないため剛性を保つことができる。
【００２８】
前記脚Ｃ１は、起立面Ｓ１から片持ち的に突出させたもので、その外縁Ｃ５のうち少なくとも下縁Ｃ５１に前記フランジ部Ｃ６１が形成されているので、脚Ｃ１の下部にカップホルダＨ１、Ｈ２を取り付けることができる。そして、前記取付機構３が、前記脚Ｃ１の外縁Ｃ５近傍においてフランジ部Ｃ６１よりも内側を挟持する対をなす側面挟持部５、６と、これら側面挟持部５、６によりホルダ支持部材２が脚Ｃ１に取り付けられた状態で前記脚Ｃ１の外縁Ｃ５に当接してホルダ支持部材２の前後方向の回動を規制する外面当接部７とを具備してなるものであるので、対をなす側面挟持部５、６により左右方向への移動が規制されるとともに、外面当接部７により前後方向の回転移動が規制され、しっかりとカップホルダＨ１、Ｈ２を保持させておくことができる。詳述すれば、前記側面挟持部５、６は、フランジ部Ｃ６１を避けた薄い平板状の両側面を挟んでおり、前記外面当接部７は、脚Ｃ１の板厚よりも大きな寸法を有するフランジ部Ｃ６１に面接触しているので、しっかり取り付けることができる。
【００２９】
特に本実施形態においては、前記側面挟持部５、６及び外面当接部７が、それぞれ脚Ｃ１に密着する弾性表面層５１、６１、７２を備えたものであり、弾性表面層５１、６１、７２の弾性変形を伴って締め付けているので、取付機構３付近の外れや破損を抑制できる。具体的には、カップホルダＨ１、Ｈ２になんらかの外力が加わった場合にも、第一、第二のボルト８２、８３が緩みにくいという効果が得られる。また、ボルト８２、８３が多少緩んだ場合にも、外面当接部７の弾性表面層７２がカップホルダＨ１、Ｈ２の回転を抑制するため、このカップホルダＨ１、Ｈ２に保持されたカップＰが落下することを効果的に抑制できる。
【００３０】
前記取付機構３が、ホルダ支持部材２に設けられた一方の側面挟持部５と、前記ホルダ支持部材２に対面配置された対面部材４に設けられた他方の側面挟持部６と、前記脚Ｃ１の外側に位置させて前記ホルダ支持部材２と前記対面部材４との間に配置された外面当接部７とを備え、この外面当接部７に前記ホルダ支持部材２及び対面部材４を緊締結合することにより、前記両側面挟持部５、６を脚Ｃ１の側面に圧接させるようにしたものであるので、既設の脚Ｃ１にも簡単な作業で取り付けることができる。具体的には、一方の側面挟持部５がホルダ支持部材２と一体化されているので、取付の際、この側面挟持部５を脚Ｃ１のフランジ部Ｃ６１に掛け止めて仮保持しておける。さらに、外面当接部７に対するホルダ支持部材２と対面部材４の緊締結合状態を解除すれば、脚Ｃ１に変形を加えることなくカップホルダＨ１、Ｈ２を取り外すことができる。
【００３１】
また、カップホルダＨ２は、前記ホルダ支持部材２の両側に前記ホルダ本体１がそれぞれ設けられているので、座席２つ分のホルダ本体１を備えたカップホルダＨ２を一回のホルダ支持部材２の取付作業で完了することができ、取付作業の手間を省くことができる。また、このような場合に、前記ホルダ支持部材２が、各ホルダ本体１間を仕切る仕切板としての役割をも担い得る形状をなしたものであるので、隣接する着座者同士が隣の着座者用のホルダ本体１を間違って使用したり、隣の着座者用のホルダ本体１に置かれたカップＰに誤って触れるおそれがなくなる。
【００３２】
また、１つの椅子Ｃに対してカップホルダＨ１とカップホルダＨ２を組み合わせて使用することにより、本実施形態に示したような奇数個の座Ｃ２を有する椅子Ｃの他にも、偶数個の座を有する椅子にも適用できる。
【００３３】
また、このカップホルダＨ１、Ｈ２は、本実施形態に示したライジング機構Ｃ３を有する椅子Ｃに適用した場合であっても、脚Ｃ１の下縁Ｃ５１のフランジ部Ｃ６１を利用して取り付けているので、カップホルダＨ１、Ｈ２は座Ｃ２の回転動作に干渉することがなく、また、ホルダ本体１は、倒伏位置（ａ）にした座Ｃ２の下側に位置するため、着座者の邪魔になることもない。特に、本実施形態では、図３に示すように、起立位置（ｂ）にある座Ｃ２の前端部とホルダ本体１の前端部とをほぼ同じ前後位置になるように配しているので、ホルダ本体１が起立位置（ｂ）にある座Ｃ２の前側の通路に向かって大幅に突出することがない。そのため、カップホルダＨ１、Ｈ２をそれほど気にすることなく座Ｃ２の前側の通路を歩くことができる。
【００３４】
次に、本発明の他の実施形態について図８及び図９を参照して説明する。なお、以下の実施形態において上記実施形態に対応する構成要素には同様の符号を付して示すものとし、具体的な説明を省略する。なお、図８においては、右端側（紙面手前側）の脚、座及び背凭れ等を省略している。
【００３５】
本実施形態は、椅子Ｃの脚Ｃ１が、起立面Ｓ１から片持ち的に突出させたもので、その外縁Ｃ５のうち少なくとも前向き縁Ｃ５２に前記フランジ部Ｃ６２が形成されており、このフランジ部Ｃ６２を利用してカップホルダＨ２を取り付けている。本実施形態のカップホルダＨ２は、主として取付機構３が前述した実施形態と異なっている。
【００３６】
取付機構３は、図８及び図９に示すように、前記脚Ｃ１の外縁Ｃ５近傍においてフランジ部Ｃ６２よりも内側を挟持する対をなす側面挟持部５、６と、これら側面挟持部５、６によりホルダ支持部材２が脚Ｃ１に取り付けられた状態で前記脚Ｃ１の外縁Ｃ５に当接してホルダ支持部材２の前後方向及び上下方向の回動を規制する外面当接部７とを具備してなる。すなわち、この取付機構３は、ホルダ支持部材２に設けられた一方の側面挟持部５と、前記ホルダ支持部材２に対面配置された対面部材４に設けられた他方の側面挟持部６と、前記脚Ｃ１の外側に配置された外面当接部７とを備えたものであり、本実施形態においては、前記外面当接部７を対面部材４に一体に形成している。また、対面部材４の下端部近傍には、この対面部材４とホルダ支持部材２との間に挟持される図示しない固定用カラーが設けられており、この固定用カラーにはボルト挿通孔が形成されている。
【００３７】
そして、この取付機構３は、このホルダ支持部材２に対面部材４を緊締結合することにより、前記両側面挟持部５、６を脚Ｃ１の側面に圧接させるようにしている。具体的には、外面当接部７は、対面部材４の中間部分に設けられたものである。そして、対面部材４の前端に設けたボルト挿通孔４１を通過させてホルダ支持部材２のねじ孔２６に螺合させた第一のボルト８４と、対面部材４の下端に設けた図示しないボルト挿通孔、及び、このボルト挿通孔と軸心を一致させて設けた固定用カラーのボルト挿通孔を通過させてホルダ支持部材２のねじ孔に螺合させた第二のボルト８５とによって、前記ホルダ支持部材２に対面部材４を緊締結合するようになっている。そして、この緊締結合により、前記両側面挟持部５、６がホルダ支持部材２の両側面２１に圧接されるようにしている。ここで、前記側面挟持部５、６及び外面当接部７は、それぞれ脚Ｃ１に密着するゴムシート等を添着することにより形成された弾性表面層５１、５２、６１、６２、７２を備えたものであり、前記緊締結合が完了した場合に、側面挟持部５、６の弾性表面層５１、６１が弾性変形を伴ってホルダ支持部材２内の側面２１に圧接される。本実施形態では、特に、弾性表面層５２、６２がフランジ部Ｃ６２内面にも当接するようになっている。また、緊締結合時に、外面当接部７の弾性表面層７２が脚Ｃ１の外面、すなわち脚Ｃ１の外縁Ｃ５のフランジ部Ｃ６２に当接されることによって、カップホルダＨ２をがたつきなく確実に脚Ｃ１に取り付けることができる。なお、本実施形態についても、カップホルダは、ホルダ支持部材２の一側面２１側のみにホルダ本体１を取り付けたものであってもよい。
【００３８】
本実施形態のカップホルダＨ２によれば、前述した実施形態と同一またはこれに準ずる効果が得られる。
【００３９】
特に、前述した実施形態と比べて、カップホルダＨ２を前記脚Ｃ１のより高い位置で取り付けることができるため、ホルダ支持部材２の形態を、奥行き方向にコンパクトにすることができるとともに、上下方向に大きくすることができる。そのため、出っ張り部２４をより大きく形成することができ、ホルダ支持部材２が、各ホルダ本体１間を仕切る仕切板としての役割を効果的に担い得る。
【００４０】
また、本実施形態では、対面部材４に一体的に外面当接部７を設けたので、部品点数を削減できるとともに、取り付け作業も容易になる。
【００４１】
さらに、本実施形態では、図８に示すように、起立位置（ｂ）にある座Ｃ２の前端部よりも前方に突出させてカップホルダＨ２を配しているので、着座者が立ち上がった際にカップＰの存在に気づかせることができるとともに、清掃時等にホルダ本体１を確認しやすいという効果がある。
【００４２】
なお、本発明は以上に述べた実施形態に限られない。
【００４３】
カップホルダを取り付ける椅子は、上述した実施形態のものに限られず種々変更可能である。例えば、座と背凭れとが一体に成形されているものや、背凭れを有しておらず、脚と座のみで構成されるものや、ライジング機構を有していないものであってもよい。
【００４４】
脚は、起立面から片持ち的に突出させたものに限られず、水平面または傾斜面から起立させたものであってもよく、その場合には、脚の外縁のうち前向き縁に形成されたフランジ部を利用してカップホルダを取り付けるようにすればよい。
【００４５】
フランジ部は、本実施形態で説明したような脚の板厚に対して両側に突出する断面視Ｔ字状のものの他に、脚の板厚に対して片側のみに突出する断面視Ｌ字状のものであってもよい。
【００４６】
側面挟持部は、フランジ部の一部または全部を直接包持するようなものであってもよい。
【００４７】
本実施形態では、１つの椅子に対して２種類のカップホルダを利用したが、１種類のカップホルダのみを取り付けてもよい。すなわち、ホルダ本体が座席の数と同じだけあればよく、脚と座の数によっては、片方にホルダ本体を付けたカップホルダのみで構成したり、両側にホルダ本体を付けたカップホルダのみで構成したりしてもよい。
【００４８】
その他、本発明の趣旨を損ねない範囲で種々に変更してよい。
【符号の説明】
【００４９】
Ｈ１、Ｈ２…カップホルダ
１…ホルダ本体
２…ホルダ支持部材
３…取付機構
４…対面部材
５、６…側面挟持部
５１、５２、６１、６２、７２…弾性表面層
７…外面当接部
Ｃ…椅子
Ｃ１…脚
Ｃ２…座
Ｃ５…外縁
Ｃ５１…下縁
Ｃ６１、Ｃ６２、Ｃ６３、Ｃ６４…フランジ部
Ｓ１…起立面
Ｐ…カップ
【図１】
0005810285.tif 000002
【図２】
0005810285.tif 000003
【図３】
0005810285.tif 000004
【図４】
0005810285.tif 000005
【図５】
0005810285.tif 000006
【図６】
0005810285.tif 000007
【図７】
0005810285.tif 000008
【図８】
0005810285.tif 000009
【図９】
0005810285.tif 000010